(57)【要約】【課題】熱伝導や輻射熱による熱の移動を抑えることによって足の冷えを抑制することができ、電気等のエネルギーも必要とせず、オフィスや家庭において簡易に使用し、更に机を離れる場合も、それに対する何等の所作なしにすることができるような足冷え防止用具を提供する。【解決手段】壁材（１）及び天井材（２）からなり、前記壁材（１）は、紙、プラスティック、発泡プラスティック及び不織布から選択される少なくとも1の成分からなる自立層（Ａ１）からなり、水平方向に屈曲性を有し、垂直方向に屈曲性を有さないものであり、前記天井材（２）は、紙、プラスティック、発泡プラスティック及び不織布から選択される少なくとも1の成分からなる基材層（Ａ２）からななり、前記壁材（１）と前記天井材（２）の一方又は両方が光沢アルミ箔層を表面に有することを特徴とする足冷え防止用具。【選択図】図１
2014097291.tif 000002
【特許請求の範囲】
【請求項１】
壁材（１）及び天井材（２）からなり、
前記壁材（１）は、紙、プラスティック、発泡プラスティック及び不織布から選択される少なくとも1の成分からなる自立層（Ａ１）からなり、水平方向に屈曲性を有し、垂直方向に屈曲性を有さないものであり、
前記天井材（２）は、紙、プラスティック、発泡プラスティック及び不織布から選択される少なくとも1の成分からなる基材層（Ａ２）からななり、
前記壁材（１）と前記天井材（２）の一方又は両方が光沢アルミ箔層を表面に有することを特徴とする足冷え防止用具。
【請求項２】
壁材（１）は、紙、プラスティック、発泡プラスティック、不織布から選択される少なくとも1の成分からなる成形した自立層（Ａ１）及び光沢アルミ箔層（Ｂ）からなる積層体を少なくとも２以上連結して得られた屏風状断熱材である請求項１記載の足冷え防止用具。
【請求項３】
更に、取り付け具を有する請求項１又は２記載の足冷え防止用具。
【請求項４】
壁材（１）及び天井材（２）は、端部に取り付け具を挿入するための取り付け溝を有し、
取り付け具は、壁材（１）が有する取り付け溝及び天井材（２）が有する取り付け溝のそれぞれに挿入することができる挿入部を有するＴ字又はＬ字形状を有し、折れ曲がり部に溝を形成したものであり、
天井材（２）の取り付け溝は、取り付け具の溝と嵌合する凸部を有するものであることを特徴とする請求項３記載の足冷え防止用具。
【発明の詳細な説明】
【技術分野】
【０００１】
本発明は、オフィス、家庭等で使用することができる足冷え防止用具に関する。
【背景技術】
【０００２】
人体における足の冷えは、関節部の不調、ひいては人体生理に重要な影響を及ぼすとされている。すなわち、古来より頭寒足熱と言われ、日常生活において足が冷えないようにすることは、健康上望ましいこととされている。しかしながら、暖気は上に昇り冷気は下に下がる特徴から、足元は冷えを生じやすい。このような問題は冬季に限ったものではなく、夏場の冷房環境下においても生じる問題である。
【０００３】
温度が異なる2つの物体の間の熱の交換は、両者が接触している場合伝導によって、離れている場合は、輻射（放射）、対流によって高温部から低温部へ伝わることとなる。その伝わり方の大きさは、伝導＞輻射＞対流（両者が接触している場合は伝導が１００％）の関係が成り立つ。
【０００４】
この関係を冷えたオフィス机と、それに挿入した足の間の熱の交換にあてはめて考える。特にオフィス机がスチール製の場合、夏、冬共に外気温が空調によって調節された２５〜２８度前後の環境温度に干渉されほぼその定温度に保たれ、一方足は常に人体温度の３６度前後であるため、その温度差からいつも一方的に足よりデスク側に熱が奪われることとなる。
【０００５】
通常、足は、オフィス机と接触していないため、足冷えの原因の多くは輻射（放射）による熱の移動によって生じていると考えられる。ステファン・ホルツマンの法則によれば、温度差のある２物体間の輻射（放射）による伝達熱量は、各々の絶対温度の４乗の差に比例するといわれ、微小の温度差でも高温部からの放射熱量は温度差以上に大きくなる。
【０００６】
オフィスのみならず、家庭においても、テーブル下での足冷えを生じる。
これを防止するため、ひざ掛け等を利用して、足を保温する方法がとられることが多い。しかし、座を立つ場合、いちいちひざ掛けを机上に置き換えるなど、手数がかかったり、机上に書類（家庭に於いては食器等）がある場合、それを避ける時、いらざる手間がかかってしまう。
【０００７】
また、アルミ箔布など防寒効果を謳う用具もあるが、足とその防寒具が直接、関接に足と接している場合、必ず足から熱の伝導によって体温が直接奪われ、かえって足冷えの原因になることにもなる。したがって防止用具を考える場合、該材と足を密着しないように自立すること（両者間の熱伝導を抑止する）、及び輻射熱によって、熱が奪われない方法（すなわち足から放射された放射熱を反射によって、足側に効率よく熱を返す方法）を講じることが重要である。
【０００８】
特許文献１には足元において使用する足温箱が記載されている、しかし、ここでは箱を形成する素材に関しては言及されておらず、輻射熱に関する検討もなされていない。更に発熱源も必要とされている。
【０００９】
また、特許文献２には、布状体とアルミ箔とを積層させた積層体を身体の所望部位に貼り付けて貼着部位を温める積層シートが記載されている。しかしこのような貼り付け型の積層体では、輻射熱の反射というよりは、足の熱が貼り付け布状体を通じてかえって伝導し、また光沢アルミ箔が、その中間にある布状体によって、熱、赤外線の放射、反射を阻害してしまうことになり、折角の反射効果が少ないことになる。更にオフィス等では、常時席を立つ必要上、該積層体を張り付けたまま振る舞うことは不可能に近く、着脱を常時せねばならない不便さがある。
【先行技術文献】
【特許文献】
【００１０】
【特許文献１】特開２０００−２２９０９９号公報
【特許文献２】特開２００３−１７５０６９号公報
【発明の概要】
【発明が解決しようとする課題】
【００１１】
本発明は上記に鑑み、足から発する熱の伝導や輻射熱による熱、赤外線の低温部への移動吸収を抑制することによって足の冷えを減少抑止することができ、電気等のエネルギーも必要とせず、オフィスや家庭において簡易に使用し、また席を立つ場合も、取り外し等何の動作、振る舞いをすることなく、そのまま離れることができるような足冷え防止用具を提供することを目的とする。
【課題を解決するための手段】
【００１２】
本発明は、壁材（１）及び天井材（２）からなり、前記壁材（１）は、紙、プラスティック、発泡プラスティック及び不織布から選択される少なくとも1の成分からなる自立層（Ａ１）からなり、水平方向に屈曲性を有し、垂直方向に屈曲性を有さないものであり、前記天井材（２）は、紙、プラスティック、発泡プラスティック及び不織布から選択される少なくとも1の成分からなる基材層（Ａ２）からななり、前記壁材（１）と前記天井材（２）の一方又は両方が光沢アルミ箔層を表面に有することを特徴とする足冷え防止用具である。
【００１３】
上記壁材（１）は、紙、プラスティック、発泡プラスティック、不織布から選択される少なくとも1の成分からなる成形した自立層（Ａ１）及び光沢アルミ箔層（Ｂ）からなる積層体を少なくとも２以上連結して得られたものであってもよい。
本発明の足冷え防止用具は、更に、取り付け具を有するものであってもよい。
【００１４】
上記壁材（１）及び上記天井材（２）は、端部に取り付け具を挿入するための取り付け溝を有し、取り付け具は、壁材（１）が有する取り付け溝及び天井材（２）が有する取り付け溝のそれぞれに挿入することができる挿入部を有するＴ字又はＬ字形状を有し、折れ曲がり部に溝を形成したものであり、天井材（２）の取り付け溝は、取り付け具の溝と嵌合する凸部を有するものであるものであってもよい。
【発明の効果】
【００１５】
本発明の足冷え防止用具は、オフィス机や家庭における、テーブル下において効率よく足の冷えを防止することができる。更に、適宜、机の大きさやスペース、使用者の机下の足可動域の大小に応じて、一部を巻き取る（又は折りたたむ）ことによって、壁材（１）の周囲長を調整しスペース域を変更することができる。
【００１６】
更に、容易に総て巻き取る（又は折りたたむ）ことができるため、オフィス机の共同使用や、シェアテーブルの職場での机使用後の片づけ、あるいは使用しない時には巻き取って（または折りたたんで）収納することで、省スペースを図ることもできる。
【図面の簡単な説明】
【００１７】
【図１】本発明の足冷え防止具の一例を示す図である。
【図２】本発明の足冷え防止具の一例を示す図である。
【図３】本発明に使用することができる取り付け具の一例を示す図である。
【図４】本発明に使用することができる壁材の一例を示す模式図である。
【図５】図４に示した壁材において使用される柱状支持体の断面形状の一例を示す図である。
【図６】本発明に使用することができる取付け具の一例を示す図である。
【図７】本発明の壁材、天井材及び取付け具を使用して、壁材と天井材とを固定した状態の一例を示す図である。
【発明を実施するための形態】
【００１８】
以下に、本発明を詳細に説明する。
本発明の足冷え防止用具は、壁材（１）と天井材（２）とからなるものである。上記壁材（１）は、いずれも紙、プラスティック、発泡プラスティック及び不織布から選択される少なくとも1の成分からなる自立層（Ａ１）からなるものである。
【００１９】
更に、壁材（１）は水平方向に屈曲性を有し、垂直方向に屈曲性を有さないものである。自立させることができる素材を水平方向に適度に屈曲させることによって、デスク内での足の周りを壁材（１）により取り囲むような形状に固定して使用することができる。
【００２０】
上記水平方向に屈曲性を有し、垂直方向に屈曲性を有さないものとしては、板状又は段ボール状のものを挙げることができる。
【００２１】
壁材（１）は、図１に示したもののように、それ自体が水平方向に屈曲性を有し、垂直方向には屈曲性を有さない素材を使用したものであってもよい。また、図２に示したもののように水平方向垂直方向ともに屈曲性を有さない素材等を使用し、これを２以上組み合わせて屏風状の形状として、水平方向の屈曲性を得たものであってもよい。
【００２２】
更に、壁材（１）は、図４に示したもののように、不織布等の水平方向垂直方向ともに屈曲性を有する素材を使用し、この端部において垂直方向に樹脂製、金属製等の柱状支持体１１を設けることによって屈曲性を有さないものとして、自立することができるものとしたものであってもよい。
【００２３】
なお、本明細書において「屈曲性を有する」「屈曲性を有さない」または「自立する」は、上述したような構成による本発明の目的を達成できる程度のものであることを意味する。
【００２４】
上記壁材（１）は、水平方向の変形が容易であることから、使用者の足可動域の大小、デスクの大きさに合わせて変形させて使用することが容易である。更に、使用時において足を入れるための開口部に取付具を使用する際に、足を入れるべき間口を調整しつつ使用することで、足冷え防止用具の内外間の空気対流による熱交換も抑制し、より一層、足冷えを抑止することができるという利点もある。
【００２５】
上記天井材（２）は、紙、プラスティック、発泡プラスティック、不織布から選択される少なくとも1の成分からなる基材層（Ａ２）からなるものである。但し、天井部においては上述したような屈曲性は必要とされないものであることから、天井材（２）は、屈曲性を有するものであっても屈曲性を有さないものであってもいずれであってもよい。壁材（１）と天井材（２）とは、同一の構成を有する積層体からなるものであっても、異なる構成の積層体からなるものであってもよい。天井材（２）は水平を維持できるものとすることによって、人体との接触を効率よく防ぐことができる。
【００２６】
上記壁材（１）及び天井材（２）は、いずれも紙、プラスティック、発泡プラスティック、不織布を成形した板状または段ボール状から選択される少なくとも1の成分からなる自立層（Ａ１）又は基材層（Ａ２）からなる積層体からなるものであり、前記壁材（１）と前記天井材（２）の一方又は両方が光沢アルミ箔層を表面に有するものである。すなわち、光沢アルミ箔層（Ｂ）は、熱線反射能力を有するものであることから、人体から輻射される熱、赤外線の放射の多くを反射する性質を有する。上記プラスティックとしては、ポリエチレン、ポリプロピレン、ポリスチレン等の汎用樹脂板を挙げることができる。上記発泡プラスティックとしては、例えば、発泡ポリエチレン、発泡ポリエステル、発泡ポリスチレン、発泡ポリウレタン等を挙げることができる。また、段ボール状のものとしては、紙を原料とする周知の段ボール状のものだけでなく、プラスティック段ボール（ポリプロピレンを原料とする住化プラスチック製など）等を使用することもできる。
【００２７】
上記光沢アルミ箔層は、壁材（１）と天井材（２）の一方又は両方に有するものであるが、少なくとも壁材（１）が光沢アルミ箔層を有するものであることがより好ましい。これによって、足の全体において、壁材（１）により、足から発する熱、赤外線の放射を反射反転させて、足冷え抑制の効果を得ることができる点で好ましい。壁材（１）と天井材（２）の両方が光沢アルミ箔層を有することが最も好ましい。このような態様とすることで、熱線反射能力がより優れたものとなり、本発明の効果を好適に得ることができる。
【００２８】
本発明の壁材（１）及び天井材（２）は、使用に際して、光沢アルミ箔層（Ｂ）を人体足部の方に向けて使用する。人体からは輻射熱として熱、赤外線が放射されるが、これが光沢アルミ箔層によって反射することによって再度、人体に放射される。このため、足部の温度の低下が抑制され、足冷えを抑制することができるものである。
【００２９】
更に、紙、プラスティック、発泡プラスティック、不織布を成形した板状または段ボール状から選択される少なくとも1の成分からなる自立層（Ａ１）及び基材層（Ａ２）は、内包する空気層を有するものとしてもよい。この場合、熱伝導による冷えを少しく防止し、断熱材として機能する。すなわち、オフィス用机等を構成する金属表面は温度が冷えやすい素材である。このような光沢アルミ箔層（Ｂ）とオフィス用机等との間に断熱材があることによって、熱伝導、対流による冷えの発生を抑制することができ、アルミ箔層（Ｂ）の足部側温度を外気温までには下げず、足、光沢アルミ箔間の空気対流によるであろう温度格差を縮める点で好ましい。このような、内包する空気層を有する自立層（Ａ１）及び基材層（Ａ２）としては、例えば、紙、発泡プラスティック、不織布等を挙げることができる。これらの自立層（Ａ１）及び基材層（Ａ２）は、２以上の素材を組み合わせて使用するものであってもよい。
【００３０】
上記アルミ箔層（Ｂ）としては特に限定されるものではないが、反射率９０％以上であることが好ましい。なお、ここで反射率とは、以下の方法によって放射率を測定し、
反射率＝１−放射率
によって算出された値である。上記反射率は９２％以上であることがより好ましい。
【００３１】
放射率は、ＪＩＳＡ１４２３（赤外線放射温度計による放射率の簡易測定方法）に準拠して行った。赤外線放射温度計は、赤外線カメラ「サーモビジョン  ＣＰＡ−８２００（株式会社チノー製）」を使用した。放射率は以下の式により算出した。
ε＝（Ｔ２−Ｔ１）／（Ｔｂ２−Ｔｂ１）
ε：放射率
Ｔ１：常温時の試料表面温度（℃）
Ｔ２：加熱時の試料表面温度（℃）
Ｔｂ１：黒体化した部分の常温時の表面温度（℃）
Ｔｂ２：黒体化した部分の加熱時の表面温度（℃）
【００３２】
本発明の足冷え防止用具は、上述したメカニズムによって足の冷えを防止するものであることから、人体と足冷え用防止具とを直接接触させることなく目的を達成するものである。
【００３３】
上記自立層（Ａ１），基材層（Ａ２）と光沢アルミ箔層（Ｂ）との接着方法は特に限定されず、接着剤等を使用した通常の接着方法、ホットメルト等による熱融着等によっても行うことができる。
【００３４】
このような本発明の足冷え防止用具は、取付具を更に有するものであってもよい。取付具は、物理的に分離した壁材（１）及び天井材（２）が使用時に分離することがないように、留め付け、ブレを防止し、間口の幅を調整するためのものである。このような取り付け具としては特に限定されるものではない。第一の態様としては、図３に示したような壁材（１）と天井部（２）を共に挟み込む様の物でもよい。すなわち、断面がコの字型を有する柱状物の２個を、当該コの字型によって形成される２つの挟着部が略直交する形で一体化された形状のものであることが好ましい。このような形状のものは、簡単かつ強固に壁材（１）と天井材（２）を結合することができ、更に、壁材（１）や天井材（２）を特殊な形状のものとしたり、穿孔したりする必要がない点で好ましい。
【００３５】
これらの２つの柱状物は、例えば、図３に示したもののようにＬ字型で一体化された形状であることが好ましい。
【００３６】
上記取り付け具は、その素材を限定されるものではなく、金属製、樹脂製、紙製等の任意の素材からなるものを使用することができ、その製造方法に関しても特に限定されるものではない。
【００３７】
図３に示した取り付け具を利用した取り付け方法の一例を図１，２に示した。壁材（１）及び天井材（２）をこの取付具で共に挟着させることにより、簡易に組立て、取り外すことが出来る。
【００３８】
取り付け具を備えた足冷え防止用具の第二の態様として、壁材（１）及び天井材（２）は、端部に取り付け具を挿入するための取り付け溝を有し、取り付け具は、壁材（１）が有する取り付け溝及び天井材（２）が有する取り付け溝のそれぞれに挿入することができる挿入部を有するＴ字又はＬ字形状を有し、折れ曲がり部に溝を形成したものであり、天井材（２）の取り付け溝は、取り付け具の溝と嵌合する凸部を有するものである足冷え防止用具を挙げることができる。
【００３９】
以下、当該第２の態様について、図４〜図７を参照しつつ説明する。
図４は、第二の態様における壁材（１）の一例を示したものである。図４に示した態様においては、基材１２の端部に、柱材支持材１１を嵌め付けている。
【００４０】
当該柱材支持材１１の断面の一例を図５に示した。当該柱材支持体は、樹脂、金属等の素材を取り付け溝１５を有する所定の形状に成形して得られたものであり、天井材（２）を構成する端部に設置して使用する。図５においては、天井材（２）を構成する籍相対に嵌め付けるための嵌挟部１５を有する。この嵌挟部中に壁材（１）や天井材（２）を構成する積層体を挟み込み、固定することによって、壁材（１）や天井材（２）の端部に取り付け溝を設けることができる。なお、取り付け溝１５は、上述したように、柱状支持体を嵌め付けて設置するものに限定されず、接着剤で接着したもの、取り付け溝１５も含めた全体を一体成型する方法等、その他の方法で関相対に取り付け溝１５を設けたものであってもよい。
【００４１】
更に、天井材（２）に使用される当該取り付け溝１５は、以下で詳述する取り付け具の凹部と嵌合する凸部１４を有する。すなわち、上記第二の態様においては、取付け具を当該取付け溝に挿入することによって、壁材（１）と天井材（２）とを連結・固定し、これによって使用時に壁材（１）と天井材（２）とが外れることを防ぎ、良好な使用に供するものである。その際、一部で嵌合させることによって、外れにくく、安定的に固定状態を維持させることができる。また、壁材（１）の左右の壁の間隔を、取り付け具を移動させ、脚部挿入部分の間隔を広げたり狭めたりすることにより、使用者の個体差、足組のくせなどにも対応させることが出来る。
【００４２】
上記機構によって壁材（１）と天井材（２）とを固定するには、図６に示したような取付け具を使用する。すなわち、略Ｔ字形状又は略Ｌ字形状を有し、当該形状の折れ曲がり部に凹部を有するものである。当該凹部は、上述した取付け溝に設けた凸部１４と嵌合するように形成されたものである。なお、図６には、略Ｔ字形状を有するものを示した。
【００４３】
これらを使用して得られた本発明の壁材（１）と天井材（２）とを固定したときの模式図を図７に示した。図７においては、Ｔの字の横棒に当たる部分を天井材（２）に設けられた取り付け溝中に挿入する。すると、取り付け具の凹部中に、取り付け溝中の凸部１４が嵌合することで、取り付け具が天井材に結合される。このような方法で、壁材（１）の両端2箇所を固定することで、壁材（１）と天井材（２）とは、簡便に固定することができる。
【００４４】
この状態で取り付け具のＴの字の縦棒の部分を壁材（１）の取り付け溝に挿入することで、壁材（１）と天井材（２）とが固定される。このような方法で固定した場合、壁材（１）と天井材（２）とは、外れにくく、使用時に足が当たったりした場合でも、固定状態を維持しやすい。さらに、取り付けも取り外しも簡便であることから、使用に際する煩雑さもない。
【実施例】
【００４５】
以下に、実施例を挙げて本発明を説明するが、本発明はこれらの実施例によって何ら限定されるものではない。
【００４６】
（実施例１）
幅１０ｃｍ×高さ５８ｃｍの発泡ポリスチレンからなる素材上に、光沢アルミ箔をホットメルトで熱融着によって貼着した。これを高さ方向を揃えて１２枚、屏風状に貼り付けて、図1に示した形状を有する壁材（１）を作成した。
同様の素材によって、縦５０ｃｍ×横５０ｃｍの天井材（２）を作成した。なおこれらの壁材（１）及び天井材（２）の反射率は、９２％であった。
【００４７】
壁材（１）に取付具を挟着し、更に、天井材（２）をもう一方に挟着することによって、天井材（２）と壁材（１）とが一体化した。これをオフィスのデスクの下部に装備した。この状態でモニターに使用を行ってもらうと、足に温かみを強く感じることができたとの回答を得た。
【００４８】
更に、１２枚の屏風状の板の内、２枚を足が接しない範囲で折りたたみ、あたかも１０枚の屏風状に縮小した場合、その効果は更に大きいことが確認できた。
【００４９】
（実施例２）
発泡ポリスチレンにかえてポリプロピレン製の段ボールを使用した以外は実施例１と同様の方法で、壁材（１）と天井材（２）とを製造した。実施例１と同様のモニター試験を行ったところ、足冷えを抑制することができたとの回答を得た。
【００５０】
（実施例３）
発泡ポリスチレンにかえて通常の紙製の段ボールを使用した以外は実施例１と同様の方法で、壁材（１）と天井材（２）とを製造した。実施例１と同様のモニター試験を行ったところ、足冷えを抑制することができたとの回答を得た。
【００５１】
(実施例４)
発泡ポリスチレンにかえて硬質ポリエステル不織布（エンデバーハウス社製）を使用した以外は実施例１と同様の方法で、壁材（１）と天井材（２）とを製造した。実施例１と同様のモニター試験を行ったところ、足冷えを抑制することができたとの回答を得た。
【００５２】
（実施例５）
壁材（１）と天井材（２）においては、実施例４と同一の素材を使用し、図５に示した断面形状を有する樹脂製の柱上支持体を製造し、壁材（１）、天井材（２）の端部にそれぞれ挟着する。さらに、樹脂によって図６に示した形状を有する取り付け具を製造した。これを使用して壁材（１）と天井材（２）とを一体化することで、簡便に一体化を行うことができた。モニター試験を行ったところ、足冷えを抑制することができたとの回答を得た。
【産業上の利用可能性】
【００５３】
本発明の足冷え防止用具は、オフィスや家庭において座ったときの足元の冷えを抑制するために使用することができる。
【符号の簡単な説明】
【００５４】
１  壁材
２  天井材
３  取り付け具
１１  柱状支持体
１２  積層体
１３  取り付け溝
１４  凸部
１５  凹部
【図３】
2014097291.tif 000003
【図１】
2014097291.tif 000004
【図２】
2014097291.tif 000005
【図４】
2014097291.tif 000006
【図５】
2014097291.tif 000007
【図６】
2014097291.tif 000008
【図７】
2014097291.tif 000009